(57)【特許請求の範囲】
【請求項１】
本体ケースと、該本体ケース内に巻取及び繰出自在に収納された測定テープと、該測定テープを巻取り付勢する付勢手段と、該付勢手段の付勢力に抗して繰出された測定テープを繰出位置にロック保持するロック装置とを備えた巻尺であって、
上記ロック装置は、繰出部の測定テープに常時接する作用部を備えた弾性部材からなり、測定テープを繰出す際には、測定テープの繰出しに伴う作用部の追動により弾性部材が弾性変形して作用部が待機位置からテープ繰出口部側に変位し、繰出力が付加されなくなった時には、弾性部材の復元弾力によって作用部と本体ケースの内壁との間に測定テープを緊合ロックし、繰出された測定テープに巻取り方向の外力が付加された時には、弾性部材が復元して上記ロック状態が解除され、作用部が待機位置に復帰すると共に、測定テープは作用部に摺接しながら上記付勢手段の付勢力によって巻取られるようにしたことを特徴とする巻尺。
【請求項２】
請求項１に記載の巻尺において、
前記弾性部材が板バネからなり、該板バネの基端部は前記本体ケースの内壁に固着され且つその先端部に前記作用部が形成され、該板バネは、待機状態ではその先端作用部が測定テープの巻取り方向に向くＣ字形状とされ、測定テープの繰出時には前記弾性変形によってＳ字形状に変形し、このＳ字形状から上記Ｃ字形状へ復元しようとする弾力によって、作用部と本体ケースの内壁との間に測定テープを緊合ロックするものであることを特徴とする巻尺。
【請求項３】
請求項２に記載の巻尺において、
前記本体ケースには、前記板バネのＳ字形状への変形を助長する為の規制部が設けられていることを特徴とする巻尺。
【請求項４】
請求項２又は３に記載の巻尺において、
前記作用部は、前記板バネの先端に固着された摩擦部材からなることを特徴とする巻尺。
【請求項５】
請求項１に記載の巻尺において、
前記弾性部材が板バネからなり、該板バネはその基端部をして前記本体ケースの内壁に揺動可能に枢支され、且つその先端部に前記作用部が形成され、該板バネは、待機状態ではその先端作用部が測定テープの巻取り方向に向くよう位置し、測定テープの繰出時には反転して測定テープの繰出側に弾性変形し、この弾性変形状態から上記待機位置側へ復元しようとする弾力によって、作用部と本体ケースの内壁との間に測定テープを緊合ロックするものであることを特徴とする巻尺。
【請求項６】
請求項１に記載の巻尺において、
前記弾性部材が前記本体ケースの内壁に枢支された揺動アームの先側に固着された弾性体からなり、且つ該弾性体の測定テープと弾接する部分が作用部とされ、上記揺動アームは、待機状態では弾性体が測定テープの巻取り方向に向くよう位置し、測定テープの繰出時には弾性体の弾性変形を伴い反転して測定テープの繰出側に揺動し、この弾性体の弾性変形状態から上記待機位置側へ復元しようとする弾力によって、作用部と本体ケースの内壁との間に測定テープを緊合ロックするものであることを特徴とする巻尺。
【請求項７】
請求項１乃至６のいずれかに記載の巻尺において、
前記測定テープが鋼板製コンベックステープからなることを特徴とする巻尺。
【発明の詳細な説明】
【技術分野】
【０００１】
本発明は、本体ケース内に測定テープを巻取り或いは繰出し可能に収納し且つ測定テープを繰出位置にロック保持し得るロック装置を備えた巻尺に関する。
【背景技術】
【０００２】
従来、鋼板、織布、プラスチック材等からなる長尺の測定テープを本体ケース内に巻取り収納し、使用時にはその繰出し口から所望長さに繰出せるようにした巻尺が、建築現場等の産業分野や一般家庭等において広く用いられている。上記巻取りは、手巻き式の他に、ゼンマイバネの戻り力を利用した自動巻取り方式が多く採用されている。また、鋼板製の測定テープとしては、幅方向に湾曲し（コンベックス）、繰出された時にはその湾曲形状への形状記憶性により直線状を維持し得るようにしたものが採用されている。上記のような自動巻取り方式の巻尺の使用に際しては、ゼンマイバネの戻り力（巻取付勢力）に抗して測定テープが所望長さに繰出される。この時、測定テープには常時巻取付勢力が作用しているから、測定テープを繰出した後、手放すと自動的に巻取られてしまう。従って、この種の自動巻取り方式の巻尺では、何等かのロック手段が付設され、測定テープを所望の繰出し位置でロック維持するようになされている。
【０００３】
従来、上記ロック手段としては、操作ボタンをスライド操作し、該操作ボタンに連動するロック部材によって測定テープを拘束しロックするような機構が採用されていた。しかし、このような機構の場合、測定テープを繰出した上で、操作ボタンのロック操作も必要とされる為、操作上の煩雑感があることは否めなかった。そこで、測定テープを繰出して手放すだけで自動的にロックされ、ロック解除用操作ボタンを操作すると自動的に測定テープが巻取られるようにした機構も開発され、実用化されるようになった。特許文献１には、このような自動ロック装置を備えた巻尺の例が開示されている。
【特許文献１】国際公開第０３／０６４９６４号パンフレット
【発明の開示】
【発明が解決しようとする課題】
【０００４】
上記特許文献１に開示された自動ロック装置は、ヒンジピンによって前後に揺動可能に支持されたロックレバーの揺動端に、シリンダーが該ロックレバーの直交方向に摺動可能に連結され、更に、シリンダーの先端には楔形状のストッパが固着され、該ストッパとロックレバーとの間にコイルスプリングが弾装されてなる。上記ストッパは、繰出部に位置する測定テープの直線部分と、巻取ボビンに巻取られた測定テープの巻回最外周部とに接するように、上記コイルスプリングによって常時付勢されている。そして、測定テープを繰出す際には、測定テープがストッパの表面に摺接し、その繰出が許容される。そして、所望の繰出し位置で測定テープを手放すと、巻取付勢力により測定テープが巻き戻されようとするが、上記楔形状のストッパが、上記コイルスプリングの付勢力によって、測定テープの上記直線部と巻回最外周部とにより形成される略三角形状部に食い込むように変位し、その楔的作用によって測定テープが拘束され、その巻き戻しが阻止（ロック）される。このロック解除は、ロックレバーの反揺動端側（ロック解除ボタン）を押圧操作し、その反作用を利用して、ストッパの上記略三角形状部への食い込みを緩めることによってなされる。
【０００５】
上記ストッパの略三角形状部への食い込みは、コイルスプリングの付勢力に、測定テープの上記直線部及び巻回最外周部に作用する巻取付勢力が相乗されるから、食い込み力が強く安定したロック維持がなされる。しかし、逆に食い込み力が強い為に、上記のようなロック解除操作をしてもストッパの上記略三角形状部への食い込み緩和が円滑になされないことがある上にロック解除の為の強い手指操作を必要とする。更に、ロックレバー、ロック解除ボタン、シリンダー、コイルスプリング及びストッパ等の多数の部品を準備し組立てる必要がある為、部品点数が多くなり、コスト高の原因となることも予想されるところであった。また、ロック解除ボタンは本体ケースの外に露出するから、外観をシンプル化する上で障害ともなっていた。
【０００６】
本発明は、上記実情に鑑みなされたものであり、簡単な構成で、繰出された測定テープを安定的に自動ロックし、且つロック解除も簡易になし得ると共に、シンプルな外観構造の巻尺を提供することを目的としている。
【課題を解決するための手段】
【０００７】
請求項１の発明に係る巻尺は、本体ケースと、該本体ケース内に巻取及び繰出自在に収納された測定テープと、該測定テープを巻取り付勢する付勢手段と、該付勢手段の付勢力に抗して繰出された測定テープを繰出位置にロック保持するロック装置とを備えた巻尺であって、上記ロック装置は、繰出部の測定テープに常時接する作用部を備えた弾性部材からなり、測定テープを繰出す際には、測定テープの繰出しに伴う作用部の追動により弾性部材が弾性変形して作用部が待機位置からテープ繰出口部側に変位し、繰出力が付加されなくなった時には、弾性部材の復元弾力によって作用部と本体ケースの内壁との間に測定テープを緊合ロックし、繰出された測定テープに巻取り方向の外力が付加された時には、弾性部材が復元して上記ロック状態が解除され、作用部が待機位置に復帰すると共に、測定テープは作用部に摺接しながら上記付勢手段の付勢力によって巻取られるようにしたことを特徴とする。
【０００８】
本発明においては、請求項２の発明のように、前記弾性部材が板バネからなり、該板バネの基端部は前記本体ケースの内壁に固着され且つその先端部に前記作用部が形成され、該板バネは、待機状態ではその先端作用部が測定テープの巻取り方向に向くＣ字形状とされ、測定テープの繰出時には前記弾性変形によってＳ字形状に変形し、このＳ字形状から上記Ｃ字形状へ復元しようとする弾力によって、作用部と本体ケースの内壁との間に測定テープを緊合ロックするものとすることができる。この場合、請求項３の発明のように、前記本体ケースには、前記板バネのＳ字形状への変形を助長する為の規制部が設けられていることが望ましい。更に、請求項４の発明のように、前記作用部は、前記板バネの先端に固着された摩擦部材からなるものが望ましい。
【０００９】
また、本発明においては、請求項５の発明のように、前記弾性部材が板バネからなり、該板バネはその基端部をして前記本体ケースの内壁に揺動可能に枢支され、且つその先端部に前記作用部が形成され、該板バネは、待機状態ではその先端作用部が測定テープの巻取り方向に向くよう位置し、測定テープの繰出時には反転して測定テープの繰出側に弾性変形し、この弾性変形状態から上記待機位置側へ復元しようとする弾力によって、作用部と本体ケースの内壁との間に測定テープを緊合ロックするものとすることができる。
【００１０】
更には、請求項６の発明のように、前記弾性部材が前記本体ケースの内壁に枢支された揺動アームの先側に固着された弾性体からなり、且つ該弾性体の測定テープと弾接する部分が作用部とされ、上記揺動アームは、待機状態では弾性体が測定テープの巻取り方向に向くよう位置し、測定テープの繰出時には弾性体の弾性変形を伴い反転して測定テープの繰出側に揺動し、この弾性体の弾性変形状態から上記待機位置側へ復元しようとする弾力によって、作用部と本体ケースの内壁との間に測定テープを緊合ロックするものとすることもできる。そして、上記いずれかの発明において、前記測定テープは、請求項７の発明のように、鋼板製コンベックステープからなるものが採用される。
【発明の効果】
【００１１】
請求項１の発明に係る巻尺においては、ロック装置が、常時繰出位置の測定テープに接する作用部を備えた弾性部材からなり、測定テープの繰出し及びロックは、弾性部材の弾性変形と作用部の変位によってなされ、ロック解除は、繰出された測定テープに巻取り方向の外力を付加するだけでされる。従ってロック機構の構造が極めて簡単で部品点数が少なく、低コストで提供することができる。また、ロック・アンロックボタンがなく、外観をシンプルに構成することができると共に煩わしいロック・アンロック操作を不要とし、ハンドリング性が極めて優れたものとなる。
【００１２】
また、ロック装置を構成する弾性部材を、請求項２の発明のような板バネからなるものとすれば、そのＣ字形状時及びＳ字形状時に発現される弾性特性（弾力の方向或いは大きさ等）の相違によって、上記測定テープの緊合ロックが安定的になされ、また、測定テープの繰出し或いは巻取りが円滑になされる。この場合に、請求項３の発明のように、本体ケースに、前記板バネのＳ字形状への変形を助長する為の規制部を設ければ、この規制部によって測定テープのロック時における板バネのＳ字形状の維持が的確になされる。そして、請求項４の発明のように、前記作用部を、前記板バネの先端に固着された摩擦部材からなるものとすれば、測定テープの繰出し時における作用部の追動及びロック解除時に外力を付加する際の板バネの復元作用の惹起が確実になされる。
【００１３】
更に、ロック装置を構成する弾性部材を、請求項５の発明のように、基端部をして前記本体ケースの内壁に揺動可能に枢支された板バネからなるものとすれば、測定テープの繰出しに伴う作用部の追動によって板バネが繰出側に弾性変形を伴い反転し、その復元力によって測定テープが繰出位置に自動的に緊合ロックされる。そして、巻取り方向の外力が付加された時には、この板バネが元の待機位置に復帰し、ロック解除が簡易になされる。
【００１４】
更にまた、ロック装置を構成する弾性部材を、請求項６の発明のように、前記本体ケースの内壁に枢支された揺動アームの先側に固着された弾性体からなるものとし、この弾性体の測定テープと弾接する部分が作用部とすれば、測定テープの繰出しに伴う作用部の追動によって揺動アームが弾性体の弾性変形を伴い繰出側に揺動し、弾性体の復元力によって測定テープが繰出位置に自動的に緊合ロックされる。そして、巻取り方向の外力が付加された時には、この揺動アームが元の待機位置に復帰し、ロック解除が簡易になされる。
【００１５】
ロック装置を請求項５或いは６の発明のように構成すれば、構造が極めて簡易でありながら、測定テープのロック・アンロックが的確になされ、請求項２の発明と共に望ましく採用される。そして、上記いずれかの発明において、請求項７の発明のように、測定テープを鋼板製コンベックステープからなるものとすれば、本発明を汎用のコンベックス巻尺への適用が簡易になされると共に、コンベックステープ特有の特性が活かされて、繰出し・ロック時における測定テープの直線性の維持がなされ、また、繰出した時の拡開弾発特性と上記弾性部材の復元弾性とが相乗して上記緊合ロックがより安定的になされる。
【発明を実施するための最良の形態】
【００１６】
以下に本発明の最良の実施の形態について、図面に基づいて説明する。図１は本発明の巻尺の第１の実施形態を示す部分切欠横断平面図、図２は同巻尺における測定テープの繰出状態を示す同様図、図３は同繰出位置で測定テープを自動ロックした状態を示す同様図、図４は測定テープの繰出し位置と必要引出し力及び引戻し力との関係を表すグラフ、図５は他の実施形態の図１と同様図である。図６は更に他の実施形態の図１と同様図であり、図７は同実施形態における測定テープの繰出位置で測定テープを自動ロックした状態を示す同様図である。図８は更に他の実施形態の図１と同様図であり、図９は同実施形態における測定テープの繰出位置で測定テープを自動ロックした状態を示す同様図、図１０は更に他の実施形態の図１と同様図である。
【実施例１】
【００１７】
図１に示す巻尺Ａは、硬質合成樹脂等により成型された２つ割りの本体ケース１内に、目盛が付された長尺の測定テープ２を巻取軸３周りに巻取り及び繰出し自在に収納してなる。１ｈは、当該２つ割りの本体ケース１を相互に締結一体化させる為のビス孔である。測定テープ２は幅方向に湾曲した鋼板製のコンベックステープからなり、その基部側には、巻取軸３に基端部が固設されたゼンマイバネ（巻取付勢手段）４が連結され（図１では、測定テープ２とゼンマイバネ４との連結部分は省略されている。）、常時は巻取軸３の周りに弾性的に巻取付勢され、巻取ドラム（テープ巻取リール）５の周囲に巻装されている。５ａは、該巻取ドラム５を保持し、ゼンマイバネ４及び測定テープ２を整然と巻取るリールガイド板である。測定テープ２は、コンベックステープの湾曲形状への形状記憶特性により、繰出された時には直線状を維持し得ることは、従来公知のものと同様である。また、コンベックステープ以外の織布、プラスチック材等からなる長尺のテープも採用することができる。
【００１８】
測定テープ２の先端部には測定基準金具を兼ねるフック部材２ａが取付けられ、測定テープ２の本体ケース１内での収納状態では、繰出口１ａにこのフック部材２ａが露出係止されている。測定テープ２を繰出口１ａから繰出す際は、測定テープ２は上記ゼンマイバネ４の付勢弾力に抗して引出されるが、そのまま手放すとこの付勢弾力によって巻き戻されてしまうので、図例の巻尺では所望の繰出し位置に測定テープ２を静止させる為のロック装置６が組み付けられている。該ロック装置６は、帯鋼板製の板バネ（弾性部材）７と、該板バネ７の先端に固着形成された合成樹脂或いは硬質ゴム等の摩擦部材からなる作用部８とより構成されている。
【００１９】
上記板バネ７は、その基端部７ａが前記本体ケース１の内壁に固着され、上記リールガイド板５ａの外周側に沿ってＣ字形状に湾曲され、先端の自由端としての作用部８が測定テープ２の巻回部分からフック部材２ａに至る直線部分２ｂの表面に弾接するよう本体ケース１内に弾装されている。ロック装置６は、図１のように、待機状態（測定テープ２が繰出されていない状態）では、板バネ７がＣ字形状に湾曲され、且つ作用部８が本体ケース１の繰出部１ｂにおける測定テープ２の直線部分２ｂの表面に弾接した状態に維持される。また、本体ケース１内の測定テープ繰出部１ｂには、後記するように、板バネ７のＳ字形状への変形を助長する為の規制部１ｃが一体形成されている。
【００２０】
図２は上記構成の巻尺Ａにおける測定テープ２の繰出状態を示す。同図の白抜矢示方向に測定テープ２を引出してゆくと、上記ロック装置６の先端作用部８と測定テープ２の表面との弾性摺接摩擦作用によって、２点鎖線位置から実線位置に示すように、作用部８が測定テープ２の引出しに追動して変位し、これに伴い板バネ７も弾性変形して、その途中部分が上記規制部１ｃに当接する。その後も測定テープ２の繰出を継続すると、図３に示すように、作用部８が繰出口１ａ側に追動変位し、これに伴い板バネ７は規制部１ｃの規制を受けてその先側部分が反転屈曲してＳ字形状に弾性変形する。図２のように、作用部８が測定テープに略直角に弾性当接している状態では、板バネ７に蓄積された弾性エネルギーは最も大（測定テープ２を押圧する力が最も大）であるが、この状態で横方向の力が付加されると、このエネルギーを放出するよう作用し、図３に示すようなＳ字形状への変形が容易になされる。
【００２１】
そして、所望長さに測定テープ２を繰出した後、測定テープ２を手放すと、測定テープ２は、ゼンマイバネ４の巻取付勢力により引戻されようとする。しかし、ロック装置６の作用部８には、Ｓ字形状に弾性変形した板バネ７の復元弾力によって、図３のＸ方向への付勢力が作用しているから、測定テープ２は作用部８と本体ケース１の内壁との間に緊合状態とされ、その引戻しが阻止されロックされる。この場合、作用部８が測定テープ２の引戻し方向に対向する方向に向いた状態で測定テープ２に弾接するから、作用部８の上記付勢力の分力による押接作用と測定テープ２に付加される巻取付勢力が拮抗し、上記緊合ロックが安定的になされる。
【００２２】
図３に示すようにＳ字形状に弾性変形した板バネ７の復元弾力（その自由端が測定テープ２を押圧する力）は、材料力学的には、図１のようにＣ字形状に湾曲された場合の復元弾力（同上）の略４倍とされ、従って、図３の緊合ロック状態は極めて安定したものとなる。この緊合は、作用部８と本体ケース１の内壁部との間でなされるから、前記従来例のように測定テープ２の繰出長さの影響を受けることなく安定した緊合状態とされる。尚、図のように、この緊合部位に相当する本体ケース１の内壁部に凹部１ｄを形成しておけば、作用部８が測定テープ２を凹ませるようアンカー的に作用し、これに測定テープ２の巻戻し力が付加され、その拘束効果が有効に発現されてより確実な緊合がなされる。この凹部１ｄは、別途準備され、上記繰出口１ａに着脱自在に装着される別部材（ショックアブソーバ等）に形成されるものであっても良い。
【００２３】
繰出された測定テープ２を巻取る場合、測定テープ２の先端に外力を付加させる。例えば、フック部材２ａを、建屋壁面等の被測定対象部位に軽く押し当てると、この外力と、測定テープ２のゼンマイバネ４による巻取付勢力と、Ｘ方向の復元弾力とが相乗して、測定テープ２に追動して作用部８が図２の状態を経て図１の位置に変位しようとする。これに伴い、板バネ７は、Ｓ字形状から図２の状態を経て図１のＣ字形状に弾性変形する。図１における板バネ７のＣ字形状による作用部８の測定テープ２に対する押圧力は、ゼンマイバネ４による巻取付勢力より小さいから、測定テープ２は作用部８に相対弾性摺接しながら巻取ドラム５に自動的に巻取られてゆく。
【００２４】
このように、測定テープ２の所望繰出し位置でのロックは、測定テープ２を繰出すだけで自動的になされ、また、アンロック及び測定テープ２の巻取も、測定テープ２に一時的な外力を付加するだけでなされ、ロック・アンロックの為のボタン操作等が不要とされ、構造簡単で極めてハンドリングに優れる。尚、巻取りの際に測定テープ２に付加される外力は、図２のように、作用部８が測定テープ２に対して略直角に弾接する位置を通過し得る大きさであり、その位置を通過した後は外力を付加する必要がなく、上記の通り測定テープ２は自動的に巻取られる。
【００２５】
図４は、測定テープの繰出し位置と、必要引出し力及び引戻し力との関係を表すグラフである。（Ａ）（Ｂ）は本発明の実施例であって、（Ａ）は上記ロック装置６を備えた場合の測定テープ２の引出し時の必要引出し力を、（Ｂ）は同必要引戻し力を示す。また、（Ｃ）（Ｄ）は比較例であって、（Ｃ）は上記ロック装置６を備えない場合の測定テープ２の引出し時の必要引出し力を、（Ｄ）は同必要引戻し力を示す。このグラフから、実施例及び比較例においては、測定テープの繰出し長さ（位置）による必要引出し力及び引戻し力に大差なく、従って、ロック装置６の有無による取扱者の操作時の手指にかかる負担に差がないことが理解される。
【実施例２】
【００２６】
図５は本発明の第２の実施形態の巻尺Ｂを示す。この巻尺Ｂは手操作によるロックレバー９を備えていることを特徴とする。即ち、該ロックレバー９は、合成樹脂の一体成型体からなり、本体ケース１の反繰出口１ａ側の隅部に一体形成されたビス孔１ｈ用支柱１ｅに基部９ａが取付けられ、操作部（ボタン）９ｂが本体ケース１の下面に露出している。基部９ａと操作部９ｂとは杆部９ｃによって連結されている。また、操作部９ｂの幅方向両端部には、巻取ドラム５の両リールガイド板５ａの周縁部に対峙する制動突起９ｅが形成されている。その他の構成は実施例１と同様であるので、共通部分に同一の符号を付し、ここではその説明を割愛する。
【００２７】
このロックレバー９を設けることにより、上記のように、測定テープ２を所望長さに繰出し、ロック装置６でロックした状態で、測定テープ２の先端が不意に何かに当たり、測定テープ２に巻戻し方向の外力が付加されても、ロック解除されて測定テープ２が巻取られることがないよう扱うことができる。即ち、測定テープ２を所望長さに繰出した状態で、ロックレバー９の操作部９ｂを本体ケース１側に押圧操作し、杆部９ｃの弾性変形をして制動突起９ｅをリールガイド板５ａの周縁部に押当させ、巻取ドラム５の回転を不能に拘束しておくようにすることができる。この場合、通常の使用時において、本体ケース１を把持して測定テープ２の繰出操作や測定作業がなされるが、この把持力を少し強くするだけで上記巻取ドラム５を回転不能に拘束し、測定テープ２の不意の巻取を防止することができる。従って、この操作は煩わしさを伴うものではなく、しかも、ロックレバー９が設けられる位置は、把持する手指に隠される位置となるから、シンプルな外観も維持される。
【００２８】
また、図３のように測定テープ２を繰出す際に、所望長さより繰出し過ぎた場合、測定テープ２の先端に外力を付加してロック装置６のロックを解除すると測定テープ２は、ゼンマイバネ４の巻取付勢力により元の待機位置まで巻取られてしまう。その後、この待機位置から再度測定テープ２を引出し、所望長さにまで繰出す操作が必要とされる。而して、本実施形態の巻尺Ｂにおいては、操作者は本体ケース１を把持し、上記巻取りの際に測定テープ２が所望長さに至るとロックレバー９の操作部９ｂを本体ケース１側に押圧操作し、杆部９ｃの弾性変形をして制動突起９ｅをリールガイド板５ａの周縁部に押当させ、巻取ドラム５の回転を阻止する。これによって、再度繰出しを行うことなく測定テープ２を所望長さ位置にロックさせることができる。その後、ロックレバー９の押圧操作を止めると、このロックが解除され、測定テープ２は、ゼンマイバネ４の巻戻付勢力により巻取られることは上記と同様である。
【実施例３】
【００２９】
図６、図７は本発明の第３の実施形態の巻尺Ｃを示す。この巻尺Ｃにおけるロック装置６は、基端部１０ａをして前記本体ケース１の内壁に形成された支持ピン１ｆを介し揺動可能に枢支された板バネ１０と、その先端に固着された合成樹脂或いはゴム等の摩擦部材からなる作用部１１とより構成される。作用部１１は、待機位置では測定テープ２の巻取方向に向き、本体ケース１内の繰出部１ｂにおける測定テープ２の直線部分２ｂの表面に自重で接した状態に維持されるが、別の板バネ等（不図示）を付加し、弾接させるようにすることも可能である。この状態から、測定テープ２を繰出してゆくと、作用部１１の測定テープ２の表面に対する摩擦作用によって、作用部１１が測定テープ２の繰出動作に追動し、これに伴い板バネ１０が弾性変形を伴い繰出側に揺動する。
【００３０】
上記板バネ１０の弾性変形を伴う繰出側への揺動過程で、作用部１１が測定テープ２の表面に対して略直角に弾接する位置（図７の２点鎖線位置）を通過し、その後板バネ１０は反転し、作用部１１は繰出側に向くようになる。この略直角に弾接する位置では、板バネ１０に蓄積された弾性エネルギーは最も大（測定テープ２を押圧する力が最も大）であるが、この状態で横方向の力が付加されると、このエネルギーを放出するよう作用し、図７に示すような繰出側に向いた位置への弾性変形が容易になされる。そして、本体ケース１のテープ繰出口１ａには規制部１ｇが設けられているから、板バネ１０はこの規制部１ｇに当接すると、それ以上の揺動が阻止される。
【００３１】
測定テープ２を所望の繰出位置に繰出し、測定テープ２を手放すと、測定テープ２は、ゼンマイバネ４の巻取付勢力により引戻されようとする。しかし、ロック装置６の作用部１１には、上記規制部１ｇで規制され繰出側に弾性変形した板バネ１１の復元弾力が作用しているから、測定テープ２は作用部１１と本体ケース１の内壁との間に緊合状態とされ、その引戻しが阻止され規制部１ｇで規制された位置でロックされる。この場合、作用部１１が測定テープ２の引戻し方向に対向する方向に向いた状態で測定テープ２に弾接するから、作用部１１の上記付勢力の分力による押接作用と測定テープ２に付加される巻取付勢力が拮抗し、上記緊合ロックが安定的になされる。
【００３２】
そして、図７の白抜矢示のように、測定テープ２に外力が付加されると、上記板バネ１０の復元弾力とこの外力とが相乗して、測定テープ２に追動して作用部１１が図７の２点鎖線位置を経て図６の位置に変位しようとする。これに伴い、板バネ１１は、図７の反転位置から図６の待機位置に弾性変形を伴い揺動する。この動作によって、上記ロック状態が解除され、測定テープ２は巻取ドラム５に自動的に巻取られる。その他の構成は、上記実施例と同様であるので共通部分に同一の符号を付し、ここではその説明を割愛する。
【実施例４】
【００３３】
図８、図９は本発明の第４の実施形態の巻尺Ｄを示す。この巻尺Ｄにおけるロック装置６は、基端部１２ａをして本体ケース１の内壁に形成された支持ピン１ｆを介し揺動可能に枢支された硬質合成樹脂若しくは金属製の揺動アーム１２と、該揺動アーム１２の先側に固着されたゴム等からなる弾性体（弾性部材）１３と、該弾性体１３の測定テープと弾接する部分としての弾性摩擦作用部１４とより構成される。弾性体１３及び作用部１４は、待機位置では測定テープ２の巻取方向に向き、本体ケース１内の繰出部１ｂにおける測定テープ２の直線部分２ｂの表面に作用部１４が自重で接した状態に維持されるが、上記と同様別の板バネ等（不図示）を付加し、弾接させるようにすることも可能である。この状態から、測定テープ２を繰出してゆくと、作用部１４の測定テープ２の表面に対する摩擦作用によって、作用部１４が測定テープ２の繰出動作に追動し、これに伴い弾性体１３の弾性変形を伴い揺動アーム１２が繰出側に揺動する。
【００３４】
上記揺動アーム１２の弾性体１３の弾性変形を伴う繰出側への揺動過程で、作用部１４が測定テープ２の表面に対して略直角に弾接する位置（図９の２点鎖線位置）を通過し、その後揺動アーム１２は反転し、弾性体１３および作用部１４は繰出側に向くようになる。この略直角に弾接する位置では、弾性体１３に蓄積された弾性エネルギーは最も大（測定テープ２を押圧する力が最も大）であるが、この状態で横方向の力が付加されると、このエネルギーを放出するよう作用し、図９に示すような繰出側に向いた位置への揺動が容易になされる。そして、本体ケース１のテープ繰出口１ａには上記同様規制部１ｇが設けられているから、弾性体１３がこの規制部１ｇに当接すると、揺動アーム１２のそれ以上の揺動が阻止される。
【００３５】
測定テープ２を所望の繰出位置に繰出し、測定テープ２を手放すと、測定テープ２は、ゼンマイバネ４の巻取付勢力により引戻されようとする。しかし、ロック装置６の作用部１４には、上記規制部１ｇで規制され繰出側に弾性変形した弾性体１３の復元弾力が作用しているから、測定テープ２は作用部１４と本体ケース１の内壁との間に緊合状態とされ、その引戻しが阻止され規制部１ｇで規制された位置でロックされる。この場合、作用部１４が測定テープ２の引戻し方向に対向する方向に向いた状態で測定テープ２に弾接するから、作用部１４の上記付勢力の分力による押接作用と測定テープ２に付加される巻取付勢力が拮抗し、上記緊合ロックが安定的になされる。
【００３６】
そして、図９の白抜矢示のように、測定テープ２に外力が付加されると、上記弾性体１３の復元弾力とこの外力とが相乗して、測定テープ２に追動して作用部１４が図９の２点鎖線位置を経て図８の位置に変位しようとする。これに伴い、揺動アーム１２は、弾性体１３の弾性変形を伴い、図９の反転位置から図８の待機位置に揺動する。この動作によって、上記ロック状態が解除され、測定テープ２は巻取ドラム５に自動的に巻取られる。その他の構成は、上記実施例と同様であるので共通部分に同一の符号を付し、ここでもその説明を割愛する。また、これら実施例３、４の巻尺Ｃ、Ｄにも実施例２の手操作によるロックレバー９を採用し得ることは言うまでもない。
【実施例５】
【００３７】
図１０は本発明の第５の実施形態の巻尺Ｅを示す。この巻尺Ｅにおけるロック装置６は、基端部１５ａをして本体ケース１の内壁に形成された支持ピン１ｆを介し揺動可能に枢支された硬質合成樹脂若しくは金属製の揺動アーム１５と、該揺動アーム１５の先側に一体形成された摩擦作用部１６と、揺動アーム１５を測定テープ２の巻取側に弾性付勢する板バネ（弾性部材）１７とより構成される。揺動アーム１５及び作用部１６は、待機位置では測定テープ２の巻取方向に向き、本体ケース１内の繰出部１ｂにおける測定テープ２の直線部分２ｂの表面に作用部１６が自重で接した状態に維持されるが、上記と同様別の板バネ等（不図示）を付加し、弾接させるようにすることも可能である。この状態から、測定テープ２を繰出してゆくと、作用部１６の測定テープ２の表面に対する摩擦作用によって、作用部１６が測定テープ２の繰出動作に追動し、これに伴い板バネ１７の弾性変形を伴い揺動アーム１５が繰出側に揺動する。
【００３８】
そして、規制部１ｇで規制される２点鎖線位置では、板バネ１７の弾性変形に伴う復元弾力によって、測定テープ２が作用部１６と本体ケース１の内壁との間に緊合状態とされ、その引戻しが阻止され規制部１ｇで規制された位置でロックされる。このようなロック機構及びその後のロック解除機構は上記と同様である。また、その他の構成は上記と同様であるので、ここでも共通部分に同一の符号を付しその説明を割愛する。
【００３９】
尚、上記各実施例における巻尺Ａ、Ｂ、Ｃ、Ｄ、Ｅの外形状は図例のものに限定されないことは当然である。また、ロック装置６の具体的構成は例示のものに限定されず、本発明の機能を奏するものであれば、その他の構成をこれに充当させることも可能である。更に、本体ケース１も硬質合成樹脂の成型体に限定されず、軽金属の成型体等であっても良いことは言うまでもない。加えて、規制部１ｃとしては、本体ケース１に一体形成されたもの以外に、本体ケース１に取付けられるピン状のもの、或いは本体ケース１の内壁が兼ねるもの等であっても良い。
【図面の簡単な説明】
【００４０】
【図１】図１は本発明の巻尺の第１の実施形態を示す部分切欠横断平面図である。
【図２】同巻尺における測定テープの繰出状態を示す同様図である。
【図３】同繰出位置で測定テープを自動ロックした状態を示す同様図である。
【図４】測定テープの繰出し位置と必要引出し力及び引戻し力との関係を表すグラフである。
【図５】他の実施形態の図１と同様図である。
【図６】更に他の実施形態の図１と同様図である。
【図７】同実施形態における測定テープの繰出位置で測定テープを自動ロックした状態を示す同様図である。
【図８】更に他の実施形態の図１と同様図である。
【図９】同実施形態における測定テープの繰出位置で測定テープを自動ロックした状態を示す同様図である。
【図１０】更に他の実施形態の図１と同様図である。
【符号の説明】
【００４１】
１      本体ケース
１ａ    テープ繰出口
１ｂ    繰出部
１ｃ    規制部
１ｄ    凹部（内壁部）
２      測定テープ
３      巻取軸
４      ゼンマイバネ（巻取付勢手段）
６      ロック装置
７      板バネ（弾性部材）
７ａ    基端部
８      作用部
１０    板バネ（弾性部材）
１３    弾性体（弾性部材）
１４    作用部
１６    作用部
１７    板バネ（弾性部材）
Ａ、Ｂ、Ｃ、Ｄ、Ｅ  巻尺
【図１】
0004848167.tif 000002
【図２】
0004848167.tif 000003
【図３】
0004848167.tif 000004
【図４】
0004848167.tif 000005
【図５】
0004848167.tif 000006
【図６】
0004848167.tif 000007
【図７】
0004848167.tif 000008
【図８】
0004848167.tif 000009
【図９】
0004848167.tif 000010
【図１０】
0004848167.tif 000011